(57)【要約】【課題】屋根に負担を掛けることなく、屋根を劣化から保護することができ、また、屋根を短期間で迅速に緑化することが可能であり、緑化面積を増大させつつ、施設の敷地を有効利用することができ、ひいては地球温暖化防止に寄与することができるようにする。【解決手段】蔓植物３０を用いた屋根の緑化システム１であって、蔓植物３０の根３１を植えるためのプランター部１０と、建物１００の折板屋根１１０に設置され、蔓植物３０の成長した茎３２を定着させるためのランド部２０とを備え、プランター部１０が、少なくとも、防水性を有する容器本体１２と、この容器本体１２内に収納された主培養土１４と含むとともに、ランド部２０が、少なくとも、折板屋根１１０に載置又は固定され、折板屋根１１０との間に通風路Ｆとなる間隔を形成する支持フレーム２１と、この支持フレーム２１上に被装された育成ネット２４とを含む構成としてある。【選択図】図２
2008048676.tif 000002
【特許請求の範囲】
【請求項１】
蔓植物を用いた屋根の緑化システムであって、
前記蔓植物の根を植えるためのプランター部と、
建物の屋根に設置され、前記蔓植物の伸長した茎を定着させるためのランド部と
を備え、
前記プランター部が、少なくとも、防水性を有する容器本体と、この容器本体内に収納された主培養土と含むとともに、
前記ランド部が、少なくとも、前記屋根に載置又は固定され、前記屋根との間に通風路となる間隔を形成する支持フレームと、この支持フレーム上に被装された育成ネットとを含むことを特徴とする屋根の緑化システム。
【請求項２】
前記ランド部が、前記支持フレーム上に敷設された非透水性の防根シートと、この防根シート上に施設された保水性を有する繊維からなる育成シートとを含むことを特徴とする請求項１記載の屋根の緑化システム。
【請求項３】
前記ランド部の育成シートを袋状にし、この袋内に副培養土を収納したことを特徴とする請求項２記載の屋根の緑化システム。
【請求項４】
前記屋根が折板屋根又はスレート屋根であり、これら折板屋根又はスレート屋根を固定するボルトに、前記ランド部の支持フレームを締結したことを特徴とする請求項１〜３いずれか記載の屋根の緑化システム。
【請求項５】
前記プランター部が、前記容器本体の内周面に介設された断熱シートを含むことを特徴とする請求項１〜４いずれか記載の屋根の緑化システム。
【請求項６】
前記プランター部が、前記容器本体内における前記主培養土の下に収納された非水溶性かつ軽量の粒状部材と、前記主培養土及び粒状部材の間に介設された透水性のフィルタ部材とを含むことを特徴とする請求項１〜５いずれか記載の屋根の緑化システム。
【請求項７】
前記プランター部が、前記容器本体内において前記粒状部材を収納するための側壁及び透水性の底壁を備えた育成枠と、この育成枠の底壁を支持して前記容器本体の底部に保水層となる空間を形成する台座枠とを含むことを特徴とする請求項６記載の屋根の緑化システム。
【請求項８】
前記プランター部の前記容器本体に所定の許容保水量を設定し、前記容器本体における前記許容保水量の水位に相当する位置に排水口を設けたことを特徴とする請求項１〜７いずれか記載の屋根の緑化システム。
【発明の詳細な説明】
【技術分野】
【０００１】
本発明は、蔓植物を利用した傾斜屋根、陸屋根（屋上）又は折板屋根等の屋根の緑化システムに関し、特に、荷重に対する耐久性が比較的低いトタン屋根、折板屋根又はスレート屋根等の緑化に好適な屋根の緑化システムに関する。
【背景技術】
【０００２】
都市緑地保全法の改正により、平成１３年８月に緑化施設整備計画認定制度が創設された。この緑化施設整備計画認定制度は、都市における良好な環境を保全及び創出するために、建物の屋上、空地その他の屋外での緑化施設整備計画を市町村長が認定し、固定資産税の課税の特例措置等を講じ、屋上緑化等都市における緑化の推進を図ることを目的としている。
【０００３】
詳述すると、緑化の推進を重点的に図る地区として定められた地区内の建物の敷地内（当該建物の屋上、空地その他の屋外に限る）において緑化施設を整備しようとする者は、整備する緑化施設の概要等を記載した緑化施設整備計画を作成し、一定の基準（敷地面積１０００m2以上、緑化率２０％以上等）に適合する場合には、この緑化施設整備計画を市町村長が認定することができる。
【０００４】
従来の建物を緑化するための手段として、例えば、特許文献１〜５では、蔦等の蔓植物を建物の外壁面や屋根に定着させる緑化システムが開示されている。以下、これら従来の緑化システムについて簡単に説明する。
【０００５】
特許文献１の緑化システムは、建物の外壁面に貫通孔を形成するとともに、建物の内側に土壌収容部を配設し、この土壌収容部に植え付けた蔦等の蔓植物を前記貫通孔から建物の外側に延出させて外壁面又は屋根に定着させる構成となっていた。
【０００６】
特許文献２の緑化システムは、竹などの筒状又は樋状の収容体に植生土と遅効性肥料とを収容し、前記植生土に植え付けた蔦によって、コンクリートの擁壁面又は天然の岩盤からなる壁面を緑化する構成となっていた。
【０００７】
特許文献３の緑化システムは、水、養分を供給する灌水管を有する緑化基盤材に蔦を植え付けてビニールハウス内で育成し、蔦が十分に生育した後、前記緑化基盤材を植物ユニットとして建物壁面に取り付け、その後、前記植物ユニットの灌水管に水分、養分を供給する供給管を接続するとともに、蔦を建物壁面全体に誘導する誘導ネットによって植物ユニット全体をカバーする構成となっていた。
【０００８】
特許文献４の緑化システムは、植物繊維と不織布とを合着させたシートに、長期溶出コーキング肥料と微量要素とを混入し、これに蔦を植生させてハウス栽培で緑化シートを完成させ、この緑化シートを構築物の壁面に施工して緑化する構成となっていた。
【０００９】
特許文献５の緑化システムは、複数のアクリル又はＡＢＳ樹脂製の箱を備え、これら箱を四方へ連続組み合わせして防水防根の水耕槽を形成し、この水耕槽で蔦を水耕栽培して都市建造物を緑化する構成となっていた。
【特許文献１】特開２００６−１２１９１１号公報
【特許文献２】特開２００３−２７５０７号公報
【特許文献３】特開２０００−３０００７９号公報
【特許文献４】特開平１０−９８９３７号公報
【特許文献５】特開２００２−１７６８５０号公報
【発明の開示】
【発明が解決しようとする課題】
【００１０】
工場、倉庫、駐車場等が建設された工業プラントなどの施設を緑化する場合には、全く利用されていない屋根を緑化することが、敷地の有効利用の観点から好ましいと考えられる。しかし、工場、倉庫、駐車場等の屋根には、折板屋根、スレート屋根又はトタン屋根等が多用されており、これら折板屋根等を、上述した従来の緑化システムによって緑化することは困難であった。
【００１１】
すなわち、特許文献１〜３の緑化システムにより折板屋根等を緑化しようとすれば、蔓植物の茎や葉が、日射を受けて高温となった折板屋根等に直接接触することになるので、蔓植物にとって良好な育成環境を形成することができないという問題があった。
【００１２】
また、特許文献４の緑化システムは、シート上で蔓植物を育成する構成となっているので、成長した茎や葉が折板屋根等に直接接触することはないが、蔓植物の不定根（地下茎から生じた根以外の根）がシートを通過して折板屋根等に到達し、根酸等によって折板屋根等が劣化しまうという問題があった。
【００１３】
さらに、特許文献５の緑化システムは、アクリル又はＡＢＳ樹脂製の水耕槽で蔦を水耕栽培する構成となっているので、上述したような二つの問題は生じないが、複数の水耕槽を四方に連続組み合わせして屋根に設置しなければならず、比較的耐久性の低い折板屋根等には、重量が大きすぎて施工することができないという問題があった。
【００１４】
本発明は、上記問題点に鑑みてなされたものであり、屋根に負担を掛けることなく、屋根を劣化から保護することができ、また、屋根を短期間で迅速に緑化することが可能であり、緑化面積を増大させつつ、施設の敷地を有効利用することができ、ひいては地球温暖化防止に寄与することができる屋根の緑化システムの提供を目的とする。
【課題を解決するための手段】
【００１５】
上記目的を達成するために、本発明に係る屋根の緑化システムは、蔓植物を用いた屋根の緑化システムであって、前記蔓植物の根を植えるためのプランター部と、建物の屋根に設置され、前記蔓植物の伸長した茎を定着させるためのランド部とを備え、前記プランター部が、少なくとも、防水性を有する容器本体と、この容器本体内に収納された主培養土と含むとともに、前記ランド部が、少なくとも、前記屋根に載置又は固定され、前記屋根との間に通風路となる間隔を形成する支持フレームと、この支持フレーム上に被装された育成ネットとを含む構成としてある。
【００１６】
このような構成によれば、容器本体内に主培養土を収納したプランター部を屋根に設けることなく、重量の軽い蔓植物の茎及び葉の部分、育成ネット、支持フレームによって、屋根に負担を掛けることなく緑化することができる。
【００１７】
特に、本発明によれば、荷重に対する耐久性が比較的低いトタン屋根、折板屋根又はスレート屋根等を緑化することができ、これらの屋根を備えた工場、倉庫、駐車場等が建設された工業プラントなどの施設において、緑化面積を増大させつつ、敷地の有効利用を図ることができる。
【００１８】
また、蔓植物は、比較的成長が早いので（ex.蔦ならば１年で約３〜５ｍｍ）、短期間で迅速に茎及び葉で屋根を覆って緑化することができ、茎及び葉によって覆われた屋根が直射日光や降雨等から保護され、その劣化が軽減されるとともに、この屋根を備えた建物内の温度上昇を軽減することができる。
【００１９】
さらに、蔓植物と屋根との間には、支持フレームによって通風路が形成されるので、例えば、折板屋根やトタン屋根等の金属製の屋根に本緑化システムを設けた場合には、これら金属製の屋根を通風によって放熱し、蔓植物の良好な育成環境を形成することができる。特に、折板屋根の場合は、支持フレームによって形成される間隔と、折板屋根の連続する凹凸形状により形成される間隔との合計で十分に広い通風路が形成されるので、金属製の屋根を効果的に放熱することができる。
【００２０】
ここで、「屋根」には、傾斜屋根、陸屋根（屋上）、折板屋根、スレート屋根、トタン屋根等の様々な形態又は材質のものが広く含まれ、本発明の緑化システムは、これら様々な形態又は材質の屋根を緑化することができる。
【００２１】
「蔓植物」には、例えば、茎自体、巻き鬚、刺、鉤、吸盤、根等によって、伸長した茎を育成ネットに定着させる蔦、朝顔、藤、薔薇などの植物が広く含まれる。
【００２２】
「支持フレーム」には、屋根と育成ネットとの間に上下方向（傾斜屋根の場合は斜め上下方向も含む）の間隔を形成することが可能な、耐食性に優れた金属製又は合成樹脂製のフレーム構造体が広く含まれる。例えば、屋根に対して水平方向に延びる上下一対のフレーム本体を、屋根に対して垂直方向の束柱で連結した格子状部材を、屋根の四辺及び中央等に組み付けたフレーム構造体とすることができる。支持フレームは、屋根に負担を掛けない観点から、できるだけ軽量であることが好ましい。
【００２３】
「育成ネット」は、蔓植物の茎及び葉を定着させるとともに、後述する育成シート及び防根シートを押さえるためのものである。ネットの材質としては、熱による伸縮が少なく、長年の使用により劣化しないものが好ましく、例えば、ポリエステル繊維や樹脂によって形成することができる。また、軽量化の観点から、ネットの編み目を妥当な大きさとし、縦糸部材及び横糸部材を必要最低限の本数にするとよい。
【００２４】
「主培養土」は、天然の土のみ、又は肥料、腐葉土、石灰等を一定の割合で混合した土が広く含まれる。なお、蔓植物の定根（地下茎から生じた根）を育成するための「主培養土」と、蔓植物の不定根（定根以外の根）を育成するための後述する「副培養土」とは、便宜的に主、副の関係をつけたにすぎず、いずれも同様の培養土である。
【００２５】
好ましくは、前記ランド部が、前記支持フレーム上に敷設された非透水性の防根シートと、この防根シート上に施設された保水性を有する繊維からなる育成シートとを含む構成とする。
【００２６】
このような構成によれば、蔓植物の茎から生じた不定根を育成シートに定着させ、この育成シートに蓄えられた水分によって不定根を育成することができる。また、防根シートの非透水性により、屋根を雨水から保護することができるとともに、蔓植物の不定根の屋根への浸食を防止することができる。
【００２７】
ここで、「防根シート」は、非透水性を有するものであれば、同時に根の浸食を防止することができると考えられ、例えば、合成樹脂製のシート材、合成繊維又は天然繊維の織布又は不織布を合成樹脂材料でコーティングしたシート材など、非透水性を有し、蔓植物の根を通さない種々のシート材が広く含まれる。例えば、ポリエステル繊維製の織物をポリエステル樹脂でコーティングしたシート材は、熱による伸縮が少なく、高い耐久性を有しており、防根シートに好適である。
【００２８】
また、「育成シート」は、水分を蓄えることが可能な合成繊維又は天然繊維の織布又は不織布が広く含まれる。例えば、天然繊維織物である麻製のシート材は、保水性のみならず、後述する副培養土や肥料等の粉体又は粒状体の付着性が良好であり、蔓植物や周囲の環境に悪影響を及ぼすこともない。さらに、産業上、麻袋が広く普及しているので廃材の再利用も可能であり、育成シートに好適である。
【００２９】
好ましくは、前記ランド部の育成シートを袋状にし、この袋内に副培養土を収納した構成とする。
【００３０】
このような構成によれば、育成シートを袋状としたことにより、副培養土を良好に保持することができ、袋内の副培養土の風雨による流出を低減することができる。また、上述した麻袋を育成シートとして用いる場合には、廃材である麻袋を何ら加工することなく、そのまま再利用することができる。したがって、ローコストであって、手間なく容易に施工することができるとともに、資源の有効利用という公益的な要請をも満たすことが可能となる。
【００３１】
好ましくは、前記屋根が折板屋根又はスレート屋根であり、これら折板屋根又はスレート屋根を固定するボルトに、前記ランド部の支持フレームを締結した構成とする。
【００３２】
このような構成によれば、特に支持フレームを固定するための専用部品が不要となり、構成の簡単化、部品点数の減少による工数削減及びローコスト化を図ることができる。また、上述したように、工業プラントの建築物に多用されている折板屋根又はスレート屋根を、極めて軽量な構成で負荷なく緑化することができるので、かかる工業プラントの緑化面積を増大させつつ、敷地の有効利用を図ることができる。さらに、上述したように、折板屋根の場合は、支持フレームによって形成される間隔と、折板屋根の連続する凹凸形状により形成される間隔との合計で十分に広い通風路が形成されるので、金属製の屋根を効果的に放熱することができる。
【００３３】
好ましくは、前記プランター部が、前記容器本体の内周面に介設された断熱シートを含む構成とする。
【００３４】
このような構成によれば、断熱シートにより、周囲の温度変化の影響を低減してプランター部内を所定の温度範囲に保つことができ、年間を通じて蔓植物の根（定根）の育成を良好にすることが可能となる。断熱シートとしては、熱伝導率の低い材質のシート材、例えば、ビニールシートを用いることができる。
【００３５】
好ましくは、前記プランター部が、前記容器本体内における前記主培養土の下に収納された非水溶性かつ軽量の粒状部材と、前記主培養土及び粒状部材の間に介設された透水性のフィルタ部材とを含む構成とする。
【００３６】
このような構成によれば、粒状部材によって、主培養土を底上げしてプランター部の軽量化を図ることができるとともに、粒状部材が、蔓植物の根（定根）の四方への伸長を妨げることなく、良好な育成環境を形成する。また、フィルタ部材が、主培養土と粒状部材とが混合しないように区画し、多量の雨水が容器本体内に流れ込んだ場合などに、粒状部材の浮き上がり、流出を防止する。
【００３７】
ここで、粒状部材は、主培養土を底上げしてプランター部の軽量化することを目的としている。したがって、粒状部材の「軽量」とは、少なくとも主培養土より単位面積あたりの重量が軽いことを意味する。また、「粒状部材」としては、非水溶性であって天然又は合成の中実又は中空の材料を用いることができ、例えば、発泡スチロールをはじめとする中実又は中空の発泡プラスチック粒などが好適である。さらに、「フィルタ部材」として、例えば、合成繊維又は天然繊維の織布又は不織布を用いることができる。なお、フィルタ部材を織布とした場合、その織り目は、主培養土及び粒状部材の通過を概ね阻止できる程度に小さくなければならない。
【００３８】
好ましくは、前記プランター部が、前記容器本体内において前記粒状部材を収納するための側壁及び透水性の底壁を備えた育成枠と、この育成枠の底壁を支持して前記容器本体の底部に保水層となる空間を形成する台座枠とを含む構成とする。
【００３９】
このような構成によれば、粒状部材を育成枠に収納し、この育成枠にフィルタ部材を覆い被せることによって粒状部材を包囲し、その浮き上がりと流出とをより確実に防止することができる。また、台座枠は、主培養土、フィルタ部材、粒状部材、及び育成枠の底壁を通過した水分を蓄えて保水層を形成する。この保水層は、蔓植物の根（定根）に、直接又は間接的に水分を供給する。
【００４０】
ここで、「育成枠」としては、ある程度の強度を有し、耐食性に優れた合成樹脂製とすることが好ましい。育成枠の側壁と底壁とを一体成形してもよいし、例えば、底壁のみを別体の合成樹脂又は金属製の網とし、側壁に組み付ける構成としてもよい。なお、底壁の網目は、粒状部材より小さくしてもよいし、大きくてもかまわない。底壁の網目を粒状部材より小さくした場合は、台座枠によって形成される保水層に粒状部材が充填されない構成となる。逆に、底壁の網目を粒状部材より大きくした場合は、保水層にも粒状部材が充填される構成となる。
【００４１】
好ましくは、前記プランター部の前記容器本体に所定の許容保水量を設定し、前記容器本体における前記許容保水量の水位に相当する位置に排水口を設けた構成とする。
【００４２】
このような構成によれば、容器本体の許容保水量を上回る余分な水が排水口から排出されるので、容易に許容保水量を維持することが可能となり、極めて簡単な構成で蔓植物の根腐れを防止することができる。
【００４３】
ここで、「排水口」は、粒状部材を充填した位置に設けることが好ましく、その形態として、例えば、フィルタ等によって粒状部材の流出防止を図った孔、粒状部材よりも小さな複数の孔、孔にドレンパイプを連結して排水の方向を制御したものなど、種々の形態が広く含まれる。
【発明の効果】
【００４４】
本発明の屋根の緑化システムによれば、屋根に負担を掛けることなく、屋根を劣化から保護することができ、また、屋根を短期間で迅速に緑化することが可能であり、緑化面積を増大させつつ、施設の敷地を有効利用することができ、ひいては地球温暖化防止に寄与することができる。
【発明を実施するための最良の形態】
【００４５】
以下、本発明の一実施形態に係る屋根の緑化システムについて、図面を参照しつつ説明する。図１は本発明の一実施形態に係る屋根の緑化システムを実施した建物を示す斜視図である。図２は上記緑化システムを示す要部断面図である。図３は上記緑化システムを構成するプランター部の側面断面図である。図４は上記プランター部を構成する育成枠及び台座枠を示す斜視図である。図５は上記緑化システムを構成するランド部の分解斜視図である。図６は上記緑化システムを構成するランド部の平面図である。
【００４６】
図１及び２において、１は本発明の一実施形態に係る緑化システムであり、主として、プランター部１０とランド部２０及び蔓植物３０からなっている。プランター部１０は、建物１００の正面壁の上端部に図示しないブラケットによって固定してある。一方、ランド部２０は、建物１００の折板屋根１１０の上に設置してある。そして、プランター部１０に植えた蔦などの蔓植物３０が成長し、伸長した茎３２や葉３３がランド部２０に定着するようになっている。
【００４７】
＜プランター部１０の説明＞
図３に示すように、プランター部１０は、容器本体１２の外側を外装部材１１で覆った構成となっている。容器本体１２の内部には、蔓植物３０（図１及び図２参照）を育成するための後述の手段１３〜１８が収容してある。
【００４８】
外装部材１１は、例えば、軽量の化粧板等からなり、好ましくは、建物１００にマッチする種々の装飾的なデザインとするとよい。このような外装部材１１によって、袋状の耐水シートからなる容器本体１２の外観を隠している。
【００４９】
容器本体１２は、合成繊維にゴムを含浸した耐水シートにより形成された断面略Ｕ字状の長手方向に延びる袋状部材である。容器本体１２の内側には、図示しないフレームが取り付けてあり、柔軟な容器本体１２を所定の容器形状に維持している。
【００５０】
また、容器本体１２の内面には、ビニールシート等の簡易な断熱シート１３を介在させてあり、容器本体１２の内外の熱伝達を阻止している。これにより、容器本体１２内の温度を、外気と比較して夏は低温、冬は高温とすることができ、蔓植物３０の定根３１（図２参照、以下同じ）を育成するのに良好な温度環境を形成している。
【００５１】
さらに、容器本体１２の断熱シート１３の内側には、上から順に、主培養土１４、フィルタ部材１５、粒状部材１６を収納した育成枠１７及び台座枠１８を、互いに積層した状態で収容してある。
【００５２】
主培養土１４は、蔓植物３０を栽培するために好適な肥料、腐葉土、石灰などを一定の割合で混ぜ合わせた土である。主培養土１４の配合は特に限定されず、天然又は人工のいずれの土を用いることもできる。
【００５３】
フィルタ部材１５は、主培養土１４と粒状部材１６とが混合しないように区画し、多量の雨水が容器本体１２内に流れ込んだ場合などに、粒状部材１６の浮き上がり、流出を防止するためのものである。このようなフィルタ部材１５として、例えば、主培養土１４及び粒状部材１６の通過を概ね阻止しつつ、透水性を有する不織布又は織布を用いることができる。
【００５４】
粒状部材１６は、主培養土１４を底上げしてプランター部１０の軽量化を図るためのものであり、非水溶性であって、少なくとも主培養土１４よりも、単位面積あたりの重量が軽い材料、例えば、発泡スチロール粒からなっている。上述した主培養土１４に植えた蔓植物３０の定根３１は、その成長とともにフィルタ部材１５を通過し、粒状部材１６に到達する。粒状部材１６は、定根３１の四方への伸長を妨げることなく、良好な育成環境を形成する。
【００５５】
このような粒状部材１６は、図４に示すような四角形状の育成枠１７内に収納してある。育成枠１７は、外衝や主培養土１４の重さに耐え得るある程度の強度を有し、耐食性にも優れた合成樹脂製としてあり、その底壁には、粒状部材１６よりも直径の小さい透孔１７ａが多数穿設してある。これら透孔１７ａによって、主培養土１４、フィルタ部材１５及び粒状部材１６を通過した水が、その下の台座枠１８へと供給される。なお、台座枠１８にも粒状部材１６を収容する場合は、育成枠１７の透孔１７ａの直径を粒状部材１６より大きくしてもよい。
【００５６】
台座枠１８は、図３及び図４に示すように、育成枠１７と同寸法の四角形状となっており、その中央には、育成枠１７の底壁を支持する断面略Ｃ型の支柱１８ａが立設してある。このような台座枠１８は、その内部に育成枠１７の透孔１７ａを通過した水を蓄え、保水層１８ｂを形成する。この保水層１８ｂに蓄えられた水は、直接又は蒸発して蔓植物３０の定根３１の育成に寄与する。
【００５７】
なお、図示していないが、上述した一対の育成枠１７と台座枠１８とは、容器本体１２の内部の長手方向に複数並べて配設してあり、容器本体１２の容積のほぼ下半分を占めている。
【００５８】
ここで、本実施形態では、容器本体１２に所定の許容保水量が設定してあり、容器本体１２における許容保水量の水位Ｗ（図３参照）に相当する位置に排水口（ドレンパイプ）１９を設けた構成となっている。この排水口１９は、外装部材１１、容器本体１２及び断熱シート１３を貫通して、粒状部材１６を収容した育成枠１７の内部に連通している。
【００５９】
この排水口１９から、容器本体１２の許容保水量を上回る余分な水が排出されるので、容易に許容保水量を維持することが可能となり、極めて簡単な構成で蔓植物３０の根腐れを防止することができる。
【００６０】
＜ランド部２０の説明＞
図５に示すように、ランド部２０は、建物１００の折板屋根１１０の上に複数の支持フレーム２１，２１，２１…を格子状に組み、これら支持フレーム２１の上に防根シート２２、育成シート２３及び育成ネット２４を順番に重ね合わせた構成となっている。
【００６１】
単一の支持フレーム２１は、互いに平行な一対のフレーム本体２１ａ，２１ａを、等間隔に配置した複数の束柱２１ｂ，２１ｂ，２１ｂ…により連結した格子状となっている。本実施形態では、この支持フレーム２１を鋼材により形成し、良好な耐食性をもたせるために亜鉛メッキした構成としてある。
【００６２】
鋼材を亜鉛メッキした場合は、支持フレーム２１のローコスト化を図ることができるが、その他、ステンレスや合成樹脂により支持フレーム２１を形成してもよい。このような支持フレーム２１は、折板屋根１１０に負担を掛けない観点から、できるだけ軽量であることが好ましい。
【００６３】
例えば、図６に示すように、建物１００の折板屋根１１０の寸法が縦５ｍ×横５ｍであるならば、単一の支持フレーム２１の全長Ｌ１を２．５ｍに設定し、各支持フレーム２１どうしを折板屋根１１０の四辺、及びその中央部分で交差するように互いにボルトで組み付けている。
【００６４】
また、図２に示すように、各支持フレーム２１と折板屋根１１０とは、折板屋根１１０を構成する折板１１０ａ，１１０ａどうしを連結するボルト１１１の余長部分にナット１１２で締結してある（図２中の拡大図参照）。これにより、支持フレーム２１によって形成される間隔（束柱２１ｂの全長約１０ｃｍにほぼ相当する）と、折板屋根１１０の連続する凹凸形状により形成される間隔とを合計した間隔（２５ｃｍ）の通風路Ｆが、防根シート２２の下方に形成される。
【００６５】
なお、フレーム本体２１ａの素材であるＬ型フレーム、及び束柱２１ｂの素材である円柱パイプは、いずれも汎用品であるから、これらＬ型フレーム及び円柱パイプの端材又は残材を再利用して、支持フレーム２１を製造することができる。
【００６６】
次いで、図２及び図５に示すように、防根シート２２は、非透水性のシート材、例えば、合成樹脂製のシート材、合成繊維又は天然繊維の織布又は不織布を合成樹脂材料でコーティングしたシート材など、非透水性を有し、蔓植物３０の伸長した茎３２から生えた不定根３２ａを通さない（図２中の拡大図参照）種々のシート材により形成することができる。
【００６７】
本実施形態では、ポリエステル繊維製の織物をポリエステル樹脂でコーティングしたシート材によって防根シート２２を形成してある。このような防根シート２２は、良好な非透水性及び不定根３２ａの遮断性に加えて、熱による伸縮が少なく、高い耐久性を有している。
【００６８】
また、防根シート２２の四辺には、所定の間隔で複数のアイレット金具２２ａ，２２ａ，２２ａ…が取り付けてあり、これらアイレット金具２２ａに図示しない紐を通し、支持フレーム２１のフレーム本体２１ａに結び付けることによって、防根シート２２を支持フレーム２１に張設している。
【００６９】
育成シート２３，２３，２３…は、水分を蓄えることが可能な合成繊維又は天然繊維の織布又は不織布からなっている。本実施形態では、他の用途に使用済みの麻袋を各育成シート２３としてそのまま再利用している。各育成シート２３の中には、蔓植物３０の茎３２から生えた不定根３２ａを育成するための少量の副培養土２３ａを入れてある。この副培養土２３ａは、上述した主培養土１４と同じ成分となっている。
【００７０】
天然繊維織物である麻製の育成シート２３は、保水性のみならず、副培養土２３ａや肥料等の粉体又は粒状体の付着性が良好であり、蔓植物３０や周囲の環境に悪影響を及ぼすこともない。さらに、産業上、麻袋が広く普及しているので廃材の再利用も可能である。
【００７１】
育成ネット２４は、蔓植物３０の伸長した茎３２及び葉３３を定着させるとともに、上述した育成シート２３及び防根シート２２を押さえるためのものである。育成ネット２４の材質としては、熱による伸縮が少なく、長年の使用により劣化しないものが好ましく、例えば、ポリエステル繊維や樹脂によって形成することができる。また、軽量化の観点から、育成ネット２４の編み目を妥当な大きさとし、縦糸部材及び横糸部材を必要最低限の本数にするとよい。
【００７２】
また、育成ネット２４の四辺には、所定の間隔で複数のアイレット金具２４ａ，２４ａ，２４ａ…が取り付けてあり、これらアイレット金具２４ａに図示しない紐を通し、支持フレーム２１のフレーム本体２１ａに結び付けることによって、育成ネット２４を支持フレーム２１に張設している。なお、アイレット金具２４ａとアイレット金具２２ａとに同じ紐を通し、育成ネット２４と防根シート２２とを一緒にフレーム本体２１ａに結び付けて張設してもよい。
【００７３】
＜作用・効果＞
上述した本実施形態に係る屋根の緑化システム１によれば、プランター部１０に植えた蔓植物３０が成長すると、その茎３２及び葉３３が、図示しない巻き鬚、吸盤又は不定根等を絡ませて育成ネット２４に定着し、建物１００の折板屋根１１０全体を緑化することができる。
【００７４】
また、本実施形態に係る屋根の緑化システム１によれば、比較的重量の重いプランター部１０を折板屋根１１０の上に設けることなく、重量の軽いランド部２０のみを折板屋根１１０の上に設けているので、比較的耐久性の低い折板屋根１１０に負担を掛けることなく緑化することができる。これにより、折板屋根１１０を備えた工場、倉庫、駐車場等の建物１００が建設された工業プラントなどの施設において、緑化面積を増大させつつ、敷地の有効利用を図ることができる。
【００７５】
また、蔓植物３０は、比較的成長が早いので、短期間で迅速に茎３２及び葉３３で折板屋根１１０を覆って緑化することができ、茎３２及び葉３３によって覆われた折板屋根１１０が直射日光や降雨等から保護され、その劣化が軽減されるとともに、建物１００内の温度上昇を軽減することができる。
【００７６】
さらに、蔓植物３０と折板屋根１１０との間には、支持フレーム２１によって通風路Ｆが形成されるので、この通風路Ｆを通る風によって金属製の折板屋根１１０を放熱し、蔓植物３０の良好な育成環境を形成することができる。特に、折板屋根１１０の場合は、支持フレーム２１によって形成される間隔と、折板屋根１１０の連続する凹凸形状により形成される間隔との合計で十分に広い通風路Ｆが形成されるので、金属製の折板屋根１１０を効果的に放熱することができる。
【００７７】
これに加え、蔓植物３０の茎３２から生じた不定根３２ａを育成シート２３に定着させ、この育成シート２３に蓄えられた水分によって不定根３２ａを育成することができる。また、防根シート２２の非透水性により、折板屋根１１０を雨水から保護することができるとともに、蔓植物３０の不定根３２ａの折板屋根１１０への浸食を阻止し、根酸などによる折板屋根１１０の劣化を防止することができる。
【００７８】
さらに、本実施形態に係る屋根の緑化システムによれば、支持フレーム２１及び育成シート２３に端材、残材又は廃材を再利用することができるので、ローコストであって、手間なく容易に施工することができるとともに、資源の有効利用という公益的な要請をも満たすことが可能となる。
【００７９】
なお、本発明に係る屋根の緑化システム１は、上記実施形態に限定されるものではない。例えば、本緑化システム１は、折板屋根１１０に限らず、傾斜屋根、陸屋根（屋上）、スレート屋根、トタン屋根等の様々な形態又は材質の屋根に広く適用することができ、本発明の緑化システム１は、これら様々な形態又は材質の屋根を緑化することができる。
【００８０】
また、緑化システム１に用いられる蔓植物３０は、蔦に限らず、茎自体、巻き鬚、刺、鉤、吸盤、根等により伸びた茎を育成ネットに定着させる朝顔、藤、薔薇等の植物を広く用いることができる。
【００８１】
さらに、上記実施形態では、建物１００の一方の正面壁にプランター部１０を設けたが、例えば、建物１００の正面及び背面壁にそれぞれプランター部１０を設ければ、蔓植物３０が建物１００の前後両方から伸長するので、上記実施形態の半分の時間で同じ面積の屋根を緑化することが可能である。
【図面の簡単な説明】
【００８２】
【図１】本発明の一実施形態に係る屋根の緑化システムを実施した建物を示す斜視図である。
【図２】上記緑化システムを示す要部断面図である。
【図３】上記緑化システムを構成するプランター部の側面断面図である。
【図４】上記プランター部を構成する育成枠及び台座枠を示す斜視図である。
【図５】上記緑化システムを構成するランド部の分解斜視図である。図６は上記緑化システムを構成するランド部の平面図である。
【図６】上記緑化システムを構成するランド部の平面図である。
【符号の説明】
【００８３】
１    緑化システム
１０    プランター部
１１    外装部材
１２    容器本体
１３    断熱シート
１４    主培養土
１５    フィルタ部材
１６    粒状部材
１７    育成枠
１８    台座枠
１８ａ  支柱
１８ｂ  保水層
１９    排水口
２０    ランド部
２１    支持フレーム
２２    防根シート
２２ａ  アイレット金具
２３    育成シート
２３ａ  副培養土
２４    育成ネット
２４ａ  アイレット金具
３０    蔓植物
３１    定根
３２    茎
３２ａ  不定根
３３    葉
１００    建物
１１０    折板屋根
【図１】
2008048676.tif 000003
【図２】
2008048676.tif 000004
【図３】
2008048676.tif 000005
【図４】
2008048676.tif 000006
【図５】
2008048676.tif 000007
【図６】
2008048676.tif 000008